(57)【要約】      （修正有）【課題】蒸発を防いで貯水することができる浮式雨水貯水タンクを提供する。【解決手段】浮式雨水貯水タンク１は、海、池、湖等の液面に浮かび、天井面１０ａが開口して雨水を取り入れ、貯水する容器本体１０と、この容器本体１０に取り付けられ、容器本体１０を前記液面に浮かせる浮体２０と、容器本体１０内に設けられ、容器本体１０内の貯水された雨水の上に浮かぶ覆い体３０とを備え、容器本体１０の平面視外形形状は、覆い体３０の平面視外形形状より大きく、覆い体３０は、容器本体１０内の貯水された雨水の上面の略全体に亘って覆うものである。【選択図】図１
2012193559.tif 000002
【特許請求の範囲】
【請求項１】
海、池、湖等の液面に浮かび、天井面が開口して雨水を取り入れ、貯水する容器本体と、
この容器本体に取り付けられ、前記容器本体を前記液面に浮かせる浮体と、
前記容器本体内に設けられ、前記容器本体内の貯水された雨水の上に浮かぶ覆い体とを備え、
前記容器本体の平面視外形形状は、前記覆い体の平面視外形形状より大きく、前記覆い体は、前記容器本体内の貯水された雨水の上面の略全体に亘って覆う
ことを特徴とする浮式雨水貯水タンク。
【請求項２】
海、池、湖等の液面に浮かび、天井面が開口して雨水を取り入れ、貯水する容器本体と、
この容器本体に取り付けられ、前記容器本体を前記液面に浮かせる浮体と、
前記容器本体内の底面の全体に亘って対向し、前記容器本体内の中途に設けられた覆い体とを備え、
前記覆い体に複数の開口部を設け、前記複数の開口部を介して、雨水を前記容器本体内に導く
ことを特徴とする浮式雨水貯水タンク。
【請求項３】
海、池、湖等の液面に浮かび、天井面が開口して雨水を取り入れ、貯水する容器本体と、
この容器本体に取り付けられ、前記容器本体を前記液面に浮かせる浮体と、
前記容器本体内の底面の全体に亘って対向し、前記容器本体の上端部に設けられ、前記天井面を覆う覆い体とを備え、
前記覆い体に複数の開口部を設け、前記複数の開口部を介して、雨水を前記容器本体内に導く
ことを特徴とする浮式雨水貯水タンク。
【請求項４】
容器本体の最上部と液面との高さを１ｍ以上とすることを特徴とする請求項１〜３のいずれか１項に記載の浮式雨水貯水タンク。
【発明の詳細な説明】
【技術分野】
【０００１】
本発明は、浮式雨水貯水タンクに係り、特に、蒸発を防いで貯水することができる浮式雨水貯水タンクに関する。
【背景技術】
【０００２】
従来、海に降る雨は、そのまま直接海に落ち、貯水されていないと共に、漁港等の海は、陸地に比べ、活用されていない実情がある。
【発明の概要】
【発明が解決しようとする課題】
【０００３】
本発明は、上記実情を考慮してなされたもので、海、池、湖等に降る雨水を直接貯水し、しかも、簡易な手段により貯水された雨水の蒸発を防いで貯水する浮式雨水貯水タンクを提供することを目的とする。
【課題を解決するための手段】
【０００４】
請求項１記載の浮式雨水貯水タンクは、海、池、湖等の液面に浮かび、天井面が開口して雨水を取り入れ、貯水する容器本体と、この容器本体に取り付けられ、前記容器本体を前記液面に浮かせる浮体と、前記容器本体内に設けられ、前記容器本体内の貯水された雨水の上に浮かぶ覆い体とを備え、前記容器本体の平面視外形形状は、前記覆い体の平面視外形形状より大きく、前記覆い体は、前記容器本体内の貯水された雨水の上面の略全体に亘って覆うものである。
【０００５】
また、請求項２記載の浮式雨水貯水タンクは、海、池、湖等の液面に浮かび、天井面が開口して雨水を取り入れ、貯水する容器本体と、この容器本体に取り付けられ、前記容器本体を前記液面に浮かせる浮体と、前記容器本体内の底面の全体に亘って対向し、前記容器本体内の中途に設けられた覆い体とを備え、前記覆い体に複数の開口部を設け、前記複数の開口部を介して、雨水を前記容器本体内に導くものである。
【０００６】
また、請求項３記載の浮式雨水貯水タンクは、海、池、湖等の液面に浮かび、天井面が開口して雨水を取り入れ、貯水する容器本体と、この容器本体に取り付けられ、前記容器本体を前記液面に浮かせる浮体と、前記容器本体内の底面の全体に亘って対向し、前記容器本体の上端部に設けられ、前記天井面を覆う覆い体とを備え、前記覆い体に複数の開口部を設け、前記複数の開口部を介して、雨水を前記容器本体内に導くものである。
【０００７】
また、請求項４記載の浮式雨水貯水タンクは、請求項１〜３のいずれか１項に記載の浮式雨水貯水タンクにおいて、容器本体の最上部と液面との高さを１ｍ以上とするものである。
【発明の効果】
【０００８】
請求項１記載の浮式雨水貯水タンクによれば、浮式雨水貯水タンクは、天井面が開口して雨水を取り入れ、貯水する容器本体を海、池、湖等の液面に浮かせ、容器本体内の貯水された雨水の略全体に亘って覆う覆い体を備えているため、海、池、湖等に降る雨水を直接貯水することができ、しかも、容器本体内の貯水された雨水の上に浮かぶ「覆い体」という簡易な手段により貯水された雨水の蒸発を防いで貯水することができる。
【０００９】
また、請求項２記載の浮式雨水貯水タンクによれば、浮式雨水貯水タンクは、天井面が開口して雨水を取り入れ、貯水する容器本体を海、池、湖等の液面に浮かせ、容器本体内の貯水された雨水の略全体に亘って覆う覆い体を備えているため、海、池、湖等に降る雨水を直接貯水することができ、しかも、容器本体内の底面の全体に亘って対向し、前記容器本体内の中途に設けられた「覆い体」という簡易な手段により貯水された雨水の蒸発を防いで貯水することができる。
【００１０】
また、請求項３記載の浮式雨水貯水タンクによれば、浮式雨水貯水タンクは、天井面が開口して雨水を取り入れ、貯水する容器本体を海、池、湖等の液面に浮かせ、容器本体内の貯水された雨水の略全体に亘って覆う覆い体を備えているため、海、池、湖等に降る雨水を直接貯水することができ、しかも、容器本体内の底面の全体に亘って対向し、前記容器本体の上端部に設けられ、前記天井面を覆う「覆い体」という簡易な手段により貯水された雨水の蒸発を防いで貯水することができる。
【００１１】
また、請求項４記載の浮式雨水貯水タンクによれば、容器本体の最上部と液面との高さを１ｍ以上であるため、波等によって、海水、池の水、湖の水が容器本体内に侵入するのを防ぐことができる。
【図面の簡単な説明】
【００１２】
【図１】図１は、本発明の一実施例の浮式雨水貯水タンクの使用状態を示す概略的断面図である。
【図２】図２は、図１の浮式雨水貯水タンクの概略的斜視図である。
【図３】図３は、図２の覆い体の概略的断面図である。
【図４】図４は、図１の浮式雨水貯水タンクに雨水が貯水されていない状態で覆い体の設置前後を示した概略的断面図である。
【図５】図５は、図４の浮式雨水貯水タンクに雨水が貯水されていくに従って覆い体が上昇する状態を示した概略的断面図である。
【図６】図６は、図１の浮式雨水貯水タンクから貯水された水を浮式雨水貯水タンクの外部へ取り出す状態を示す概略的断面図である。
【図７】図７は、図１の覆い体と異なる他の実施例の覆い体の概略的断面図である。
【図８】図８は、図１の浮式雨水貯水タンクと異なる他の実施例の浮式雨水貯水タンクの概略的断面図である。
【発明を実施するための形態】
【００１３】
本発明の一実施例の浮式雨水貯水タンクを図面を参照して説明する。
図１に示す１は，海、池、湖等の液面に浮かせ、海、池、湖等に降る雨水を直接貯水する浮式雨水貯水タンクで、浮式雨水貯水タンク１は，外形が略直方体形状をなしたフィルム状で形成された海、池、湖等の液面に浮かび、天井面１０ａが開口して雨水を取り入れ、貯水する容器本体１０を備えている。
【００１４】
容器本体１０の液面下の部位は、全体に亘って網１０ｂで覆われ、液面上の部位１０ｃは、立設するよう腰の強い合成樹脂で形成されている。
また、２０は浮体で、浮体２０は容器本体１０に取り付けられ、容器本体１を液面に浮かせるものである。浮体（フロート２０）は、容器本体１０の４側面の外側にそれぞれ取り付けられている。
なお、容器本体１０の最上部と容器本体１０の外側の液面との高さＨを１ｍ以上とし、波等によって、海水、池の水、湖の水が容器本体１０内に侵入するのを防ぐようにしている。
【００１５】
また、図１に示す３０は覆い体で、覆い体３０は、水より比重が軽いもので、容器本体１０内に設けられ、容器本体１０内の貯水された雨水の上に浮かぶもので、容器本体１０の平面視外形形状（本実施例では、底面の四角形）は、覆い体３０の平面視外形形状（本実施例では、四角形）より大きく、望ましくは、やや大きく（図４参照・・・「やや大きく」とは、覆い体３０の外周縁部と該外周縁部に対向する容器本体１０の内壁との距離を、例えば、約５ｍｍ〜約５０ｍｍである。）、覆い体３０は、容器本体１０内の貯水された雨水の上面の略全体に亘って覆うようになっている（図５参照）。
また、覆い体３０には、複数の開口部３０ａが設けられ、雨水は、覆い体３０の外周縁部と容器本体１０の内壁との間、複数の開口部３０ａを介して、容器本体１０内に導かれるようになっている。
【００１６】
従って、上述した浮式雨水貯水タンク１によれば、浮式雨水貯水タンク１は、天井面１０ａが開口して雨水を取り入れ、貯水する容器本体１０を海、池、湖等の液面に浮かせ、容器本体１０内の貯水された雨水の略全体に亘って覆う覆い体３０を備えているため、海、池、湖等に降る雨水を直接貯水することができ、しかも、容器本体１０内の貯水された雨水の上に浮かぶ「覆い体３０」という簡易な手段により貯水された雨水の蒸発を防いで貯水することができる。
なお、浮式雨水貯水タンク１から貯水された水を浮式雨水貯水タンク１の外部へ取り出す場合にあっては、図６に示すように、ホース４０を覆い体３０の外周縁部と容器本体１０の内壁との間に入れて、ポンプＰを使って行うことができる。
また、図１〜図６記載の覆い体３０に、図７に示すように、フロート３０ｂを取り付けるようにしても良い。
【００１７】
なお、上述した実施例においては、容器本体１０の内壁に対して、覆い体３０をフリーとしたが、図示しないが、図１の覆い体３０の位置で容器本体１０の内壁に固着して固定的にしても良い。
かかる場合、覆い体は、容器本体内の底面の全体に亘って対向し、前記容器本体内の中途に設けられることとなり、前記覆い体には、上述の実施例と同様に、複数の開口部を設ける。その結果、前記複数の開口部を介して、雨水は、前記容器本体内に導かれることとなる。
この浮式雨水貯水タンクにおいても、上述の実施例の浮式雨水貯水タンクと同様、天井面が開口して雨水を取り入れ、貯水する容器本体を海、池、湖等の液面に浮かせ、容器本体内の貯水された雨水の略全体に亘って覆う覆い体を備えているため、海、池、湖等に降る雨水を直接貯水することができ、しかも、容器本体内の底面の全体に亘って対向し、前記容器本体内の中途に設けられた「覆い体」という簡易な手段により貯水された雨水の蒸発を防いで貯水することができる。
【００１８】
なお、上述した実施例においては、覆い体３０を容器本体１０内に設けたが、本願発明はこれに限らず、容器本体１０の上端部に設けても良い（図８参照）。
かかる場合、覆い体３０は、容器本体１０内の底面の全体に亘って対向し、図１に示す天井面１０ａを覆うこととなり、覆い体３０には、複数の開口部３０ａを設ける。
その結果、複数の開口部３０ａを介して、雨水は、容器本体１０内に導かれることとなる。
この浮式雨水貯水タンク１においても、上述の実施例の浮式雨水貯水タンク１と同様、天井面が開口した複数の開口部３０ａから雨水を取り入れ、貯水する容器本体１０を海、池、湖等の液面に浮かせ、容器本体１０内の貯水された雨水の略全体に亘って覆う覆い体３０を備えているため、海、池、湖等に降る雨水を直接貯水することができ、しかも、容器本体１０内の底面の全体に亘って対向し、容器本体１０の上端部に設けられ、天井面を覆う「覆い体３０」という簡易な手段により貯水された雨水の蒸発を防いで貯水することができる。
【符号の説明】
【００１９】
１        浮式雨水貯水タンク
１０      容器本体
１０ａ    天井面
２０      浮体
３０      覆い体
【図１】
2012193559.tif 000003
【図２】
2012193559.tif 000004
【図３】
2012193559.tif 000005
【図４】
2012193559.tif 000006
【図５】
2012193559.tif 000007
【図６】
2012193559.tif 000008
【図７】
2012193559.tif 000009
【図８】
2012193559.tif 000010